(57)【要約】【課題】剛性を確保し、フレームの大型化を抑制しつつ、送風効率を確保できる電動送風機およびこれを備えた電気掃除機を提供する。【解決手段】フレーム24は、ロータ、ステータおよびベアリング30を収容するとともに風路部84に対向して位置する。フレーム24は、一の軸受部65と、一の脚部66とを有する。一の軸受部65は、ベアリング30を保持する。一の脚部66は、一の軸受部65から径方向に沿って突出する。一の脚部66は、少なくとも風路部82と対向する位置が風路部82に対して離れて位置している。【選択図】図１
2018084152.tif 000002
【特許請求の範囲】
【請求項１】
遠心ファンと、
この遠心ファンを回転させる電動機と、
これら遠心ファンと電動機との間に介在され、前記遠心ファンから吹き出した空気を前記電動機側へと整流する整流体と、
前記遠心ファン側から前記電動機側へと空気を通過させる風路部とを具備し、
前記電動機は、
ロータと、
このロータを回転させるステータと、
前記ロータを回転自在に保持するベアリングと、
前記ロータ、前記ステータおよび前記ベアリングを収容するとともに前記風路部に対向して位置するフレームとを備え、
前記フレームは、
前記ベアリングを保持するベアリング保持部と、
このベアリング保持部から径方向に沿って突出する脚部とを有し、
前記脚部は、少なくとも前記風路部と対向する位置がこの風路部に対して離れて位置している
ことを特徴とした電動送風機。
【請求項２】
脚部は、風路部と対向する位置に、径方向に沿って軸方向に傾斜する傾斜部を備えている
ことを特徴とした請求項１記載の電動送風機。
【請求項３】
整流体は、風路部に配置されこの風路部を通過する空気を整流する整流翼を備え、
傾斜部は、前記整流翼による前記空気の整流方向に沿って傾斜している
ことを特徴とした請求項２記載の電動送風機。
【請求項４】
脚部は、整流体に対向する側がベアリング保持部と略面一に設けられ、前記整流体に対して当接している
ことを特徴とした請求項１ないし３いずれか一記載の電動送風機。
【請求項５】
脚部は、整流体に対して軸方向にラップして配置されている
ことを特徴とした請求項１ないし４いずれか一記載の電動送風機。
【請求項６】
掃除機本体と、
請求項１ないし５いずれか一記載の電動送風機と
を具備したことを特徴とした電気掃除機。
【発明の詳細な説明】
【技術分野】
【０００１】
本発明の実施形態は、遠心ファンと電動機との間に介在された整流体を有する電動送風機およびこれを備えた電気掃除機に関する。
【背景技術】
【０００２】
従来、例えば電気掃除機などに用いられる電動送風機は、電動機と、この電動機により回転されるファンと、これら電動機とファンとの間に介在された整流体(整流板)であるディフューザとを備えている。そして、電動機により回転された遠心ファンから吹き出した空気をディフューザにより整流しつつ電動機内に送り込み、この電動機を冷却した空気を電動機のフレームの外部へと排出するようになっている。
【０００３】
電動送風機の送風効率を確保するに当たり、遠心ファンから吹き出した空気をディフューザから電動機内へと送り込み、電動機から排出するまでの風路を確保する必要がある。そこで、例えば電動機の円筒状のフレーム本体に対してディフューザなどを保持するための保持部材を取り付ける際に、この保持部材の両端部をフレーム本体の内縁部に設けた凹部に対してはめ込むように構成することでフレーム内の風路を広くしたり、電動機のフレームの内形を四角形状とすることで四角形状のステータコアとの間に形成される風路を広くしたりすることが考えられる。
【０００４】
しかしながら、保持部材をはめ込み式とすると剛性の低下が懸念される。また、フレームの内形を四角形状とすると、フレームそのものの大型化が懸念される。
【先行技術文献】
【特許文献】
【０００５】
【特許文献１】特許第４８５１７９１号公報
【特許文献２】特許第５３６９５５７号公報
【発明の概要】
【発明が解決しようとする課題】
【０００６】
本発明が解決しようとする課題は、剛性を確保し、フレームの大型化を抑制しつつ、送風効率を確保できる電動送風機およびこれを備えた電気掃除機を提供することである。
【課題を解決するための手段】
【０００７】
実施形態の電動送風機は、遠心ファンと、電動機と、整流体と、風路部とを有する。電動機は、遠心ファンを回転させる。この電動機は、ロータと、ステータと、ベアリングと、フレームとを備える。ステータは、ロータを回転させる。ベアリングは、ロータを回転自在に保持する。フレームは、ロータ、ステータおよびベアリングを収容するとともに風路部に対向して位置する。整流体は、遠心ファンと電動機との間に介在され、遠心ファンから吹き出した空気を電動機側へと整流する。風路部は、遠心ファン側から電動機側へと空気を通過させる。また、フレームは、ベアリング保持部と、脚部とを有する。ベアリング保持部は、ベアリングを保持する。脚部は、ベアリング保持部から径方向に沿って突出する。この脚部は、少なくとも風路部と対向する位置がこの風路部に対して離れて位置している。
【図面の簡単な説明】
【０００８】
【図１】第１の実施形態の電動送風機の一部を模式的に示す断面図である。
【図２】同上電動送風機のフレームの一部を示す斜視図である。
【図３】同上電動送風機の一部を示す斜視図である。
【図４】同上電動送風機の一部を示す平面図である。
【図５】同上電動送風機の分解斜視図である。
【図６】同上電動送風機を一部を切り欠いて示す斜視図である。
【図７】同上電動送風機を備えた電気掃除機を示す斜視図である。
【図８】第２の実施形態の電動送風機のフレームの一部を示す斜視図である。
【図９】第３の実施形態の電動送風機の一部を模式的に示す断面図である。
【発明を実施するための形態】
【０００９】
以下、第１の実施形態の構成を、図面を参照して説明する。
【００１０】
図５および図６において、11は電動送風機を示す。この電動送風機11は、電動機13を備える。また、この電動送風機11は、遠心ファン14を備える。さらに、この電動送風機11は、整流体(整流板)であるディフューザ15を備える。また、この電動送風機11は、ファンカバー16を備える。そして、この電動送風機11(電動機13)は、図示されない制御回路により駆動が制御される。
【００１１】
電動機13は、整流子モータでもブラシレスモータでもよいが、本実施形態においては、例えば単相４極のブラシレスモータである。そして、この電動機13は、ロータ21を備えている。また、この電動機13は、ステータ22を備えている。さらに、この電動機13は、センサ基板23を備えている。また、この電動機13は、フレーム24を備えている。なお、以下、電動送風機11の軸方向の電動機13側を後方向(図６などに示す矢印RR側)、遠心ファン14側を前方向(図６などに示す矢印FR側)として説明する。また、特記しない限り、軸方向および径方向とは、電動送風機11の軸方向および径方向をいうものとする。
【００１２】
ロータ21は、回転磁極を形成するものである。このロータ21は、本実施形態では永久磁石型ロータであるが、電動機13が整流子モータである場合には巻線型ロータでもよい。このロータ21は、シャフト26を備えている。また、このロータ21は、磁石部27を備えている。さらに、このロータ21は、少なくとも１つのスリーブ28を備えていてもよい。そして、このロータ21は、一対のベアリング30を介してフレーム24に対して回転自在に保持されている。
【００１３】
シャフト26は、電動機13の出力軸となる回転軸である。このシャフト26には、遠心ファン14が接続されている。具体的に、このシャフト26には、フレーム24から突出した前端側に遠心ファン14が接続されている。
【００１４】
磁石部27は、円筒状に形成され、中央部にシャフト26が固着されている。この磁石部27には、回転方向(周方向)に互いに異なる極性を有する磁極(回転磁極)が隣接して形成されている。したがって、この磁石部27には、回転方向にＮ極とＳ極とが順次交互に配置されて対をなしている。
【００１５】
スリーブ28は、本実施形態では一対備えられ、磁石部27の前端部および後端部に隣接してシャフト26に固定されている。なお、このスリーブ28は、必須の構成ではない。
【００１６】
ベアリング30は、シャフト26の一端側および他端側に取り付けられており、フレーム24にそれぞれ固定されて、ロータ21をフレーム24に対して回転自在に保持するようになっている。
【００１７】
ステータ22は、ロータ21を回転させる固定磁極を構成するものである。このステータ22は、ステータコア33を備えている。また、このステータ22は、絶縁体であるステータ絶縁34を備えている。さらに、このステータ22は、コイル35を備えている。また、このステータ22は、端子36を備えている。
【００１８】
ステータコア33は、電磁鋼板などの薄板状の磁性体が積層されて略一定の厚みを有する板状に形成されている。このステータコア33は、円環状(円筒状)のバックヨーク41を備えている。また、このステータコア33は、３以上、本実施形態では４つのティース42を備えている。さらに、このステータコア33は、フレーム取付部43を備えている。また、このステータコア33は、本実施形態では分割部(図示せず)によって略半円弧状ずつに上下に２分割されている。すなわち、このステータコア33は、例えばプレス成形などにより打ち抜かれた２つの(一および他の)ヨーク体(コア部材)が分割部で一体的に連結されて構成されている。
【００１９】
バックヨーク41は、ティース42間を互いに連結し、対をなすティース42，42に巻回されたコイル35，35によって生じる固定磁極間を磁気的に(磁束で)結合する磁路が形成されるものである。
【００２０】
ティース42は、コイル35により固定磁極が形成されるものである。これらティース42は、左右に位置するティース42，42が磁気的に対をなしている。また、これらティース42は、バックヨーク41の内周部から中心方向、すなわちロータ21側に向けてそれぞれ突設されている。すなわち、このティース42は、バックヨーク41(ステータコア33)の径方向に沿って長手状に形成されており、基端部がバックヨーク41と連結され、先端部が自由端状に突出している。具体的に、左右に隣接するティース42，42は、ステータコア33(ステータ22)の周方向に互いに９０°以下の角度をなすように配置されている。また、各ティース42の先端部には、ロータ21の外周面に対向する磁気作用面が構成されている。この磁気作用面は、コイル35により各ティース42に形成される固定磁極をロータ21に作用させるもので、ロータ21の外周面に対して僅かな間隙を介して離間されている。
【００２１】
フレーム取付部43は、ステータコア33(ステータ22)をフレーム24に対して固定するものである。このフレーム取付部43は、バックヨーク41の外側(外周側)に四角形状に突設され、各ティース42のそれぞれの基端部近傍に配置されている。したがって、このフレーム取付部43は、本実施形態ではバックヨーク41の周方向に互いに離間されてティース42に対応する数である４つ設定されている。そして、各フレーム取付部43には、軸方向(前後方向)に貫通する取付孔43aが設けられている。この取付孔43aには、取付部材であるねじ49が挿入され、このねじ49がフレーム24側に螺合されることでステータコア33(ステータ22)がフレーム24に固定されるようになっている。
【００２２】
ステータ絶縁34は、コイル35および端子36をステータコア33に対して絶縁された状態で保持するものである。このステータ絶縁34は、絶縁性の合成樹脂などにより形成されている。
【００２３】
コイル35は、各ティース42に固定磁極を形成するものである。本実施形態では、これらコイル35は、例えばステータコア33(ステータ22)の周方向に交互に異極を生じさせるように配置されている。
【００２４】
端子36は、制御回路と各コイル35とを電気的に接続するためのものである。この端子36は、ステータコア33の左右に位置するティース42，42間の位置にてそれぞれ一対ずつ配置されている。そして、左右に位置する端子36，36が対をなしている。
【００２５】
センサ基板23は、ロータ21(磁石部27)の磁極の極性を検出することによってロータ21の回転位置(回転角度)を検出するもので、例えばホールＩＣなどを備えている。このセンサ基板23は、例えばＣ字状に形成され、ロータ21の磁石部27の外周に沿って配置されている。また、このセンサ基板23は、例えばステータ22の後側に重ねられ、例えばねじなどの基板固定部材59によりステータ絶縁34に固定されている。
【００２６】
図１ないし図６に示すフレーム24は、例えばアルミニウム、あるいはマグネシウムなどの、軽量で、かつ、導電性を有する金属部材により形成されている。このフレーム24は、例えば一のフレーム体61と、他のフレーム体62とを備えている。そして、このフレーム24は、これら一および他のフレーム体61，62がねじ49により互いに前後に固定されることにより、ロータ21、ステータ22およびセンサ基板23を前後から挟み込んで収容するように構成されている。
【００２７】
一のフレーム体61は、ロータ21、ステータ22およびセンサ基板23に対して前側に位置するものである。一のフレーム体61は、図８に示すように、円環状の外郭部64を備えている。また、一のフレーム体61は、一の軸受部65を備えている。さらに、一のフレーム体61は、複数の一の連結部としての脚部である一の脚部66を備えている。また、一のフレーム体61は、複数の規制部67を備えている。さらに、一のフレーム体61は、複数の被取付部としての螺合部68を備えている。また、一のフレーム体61は、吸気開口部であるフレーム吸気開口部69を備えている。
【００２８】
外郭部64は、フレーム24(一のフレーム体61)の最大外径を設定するものである。この外郭部64は、例えばディフューザ15と略等しい外径寸法を有している。
【００２９】
一の軸受部65は、一方(前側)のベアリング30を受けることでロータ21を回転自在に支持する(一の)ベアリング保持部である。一の軸受部65は、外郭部64に対してディフューザ15側、すなわち前側に位置している。この一の軸受部65には、電動機13とディフューザ15とを前後方向に固定するためのねじなどの固定体71が螺合される丸孔状の螺合孔65aが設けられている。また、この一の軸受部65は、ベアリング30が嵌合する(一の)突出部としての(一の)嵌合部65bを備えている。さらに、この一の軸受部65は、(一の)支持部としての(一の)平面部65cを備えている。
【００３０】
嵌合部65bは、一の軸受部65の中央部に設定されている。この嵌合部65bは、略円筒状に形成されている。また、この嵌合部65bは、平面部65cに対して軸方向に突出して設けられている。本実施形態において、この嵌合部65bは、平面部65cに対して前側、すなわちディフューザ15側に突設されている。また、本実施形態において、この嵌合部65bは、ディフューザ15に挿通されて先端側がディフューザ15の前側に露出している。
【００３１】
平面部65cは、ディフューザ15の後側に重ねられてディフューザ15を軸方向に支持するものである。また、この平面部65cは、嵌合部65bの周囲に連続する平面状(平板状)の部分である。この平面部65cは、一の軸受部65の周辺部に設定されている。また、この平面部65cは、軸方向に対して交差(直交)する方向に沿って形成されている。また、この平面部65cは、本実施形態において、例えば円形状に形成されている。さらに、この平面部65cを貫通して、螺合孔65aが設けられている。なお、この平面部65cは、少なくとも前側すなわちディフューザ15に対向する側が平面状、または所定の平面に対して凸部を有しない形状であれば、後側すなわちステータ22に対向する側は平面状でなくてもよい。
【００３２】
一の脚部66は、一の軸受部65と外郭部64とを連結するものである。また、これら一の脚部66は、ディフューザ15を軸方向および径方向に支持するものである。これら一の脚部66は、一の軸受部65からそれぞれ放射状に突設されている。本実施形態において、これら一の脚部66は、一の軸受部65の平面部65cからそれぞれ放射状に突設されている。また、これら一の脚部66は、ステータコア33のティース42の数に対応する複数設けられている。すなわち、これら一の脚部66は、本実施形態において４つ設けられている。また、これら一の脚部66は、フレーム24(一のフレーム体61)の周方向に略等配分されている。すなわち、これら一の脚部66は、電動送風機11(ロータ21)の周囲に複数配置されている。さらに、これら一の脚部66は、第１の脚部本体としての径方向脚部66aを備えている。また、これら一の脚部66は、第２の脚部本体としての軸方向脚部66bを備えている。さらに、これら一の脚部66は、傾斜部66cを備えていてもよい。そして、これら一の脚部66は、略Ｌ字状に屈曲されている。さらに、これら一の脚部66は、ディフューザ15に対向する前側が一の軸受部65と略面一に設けられ、ディフューザ15に対して当接している。また、これら一の脚部66は、ディフューザ15に対して軸方向にラップして配置されている。
【００３３】
径方向脚部66aは、一端部が一の軸受部65に対して連結され、他端部が軸方向脚部66bと連結される部分である。本実施形態において、この径方向脚部66aの一端部は、平面部65cに対して連結されている。この径方向脚部66aは、ディフューザ15に対して重ねられる部分である。この径方向脚部66aは、軸方向と交差(直交)する方向である径方向に沿って設けられている。この径方向脚部66aは、ディフューザ15に対向する前側が一の軸受部65と略面一に設けられている。具体的に、この径方向脚部66aは、少なくともディフューザ15に対向する前側が平面部65cと略面一に設けられている。このため、本実施形態において、この径方向脚部66aは、平面部65cとともにディフューザ15に対して重ねられる部分となっている。すなわち、本実施形態において、この径方向脚部66aは、平面部65cとともにディフューザ15を軸方向に支持している。
【００３４】
軸方向脚部66bは、電動送風機11(フレーム24)の軸方向に沿って設けられている。すなわち、この軸方向脚部66bは、径方向脚部66aに対して交差(直交)する方向に沿って設けられている。そして、この軸方向脚部66bは、一端部が外郭部64に対して連結され、他端部が径方向脚部66aと連結される部分である。また、この軸方向脚部66bは、少なくとも一部がディフューザ15に対して軸方向にラップされ、ディフューザ15により保持される部分である。したがって、この軸方向脚部66bは、ディフューザ15を径方向に支持している。さらに、この軸方向脚部66bは、外側面が外郭部64の外周面に対して中心軸側にオフセットされている。
【００３５】
傾斜部66cは、一の脚部66の屈曲部分に設けられている。すなわち、この傾斜部66cは、径方向脚部66aと軸方向脚部66bとの連結部分に設けられている。この傾斜部66cは、一の脚部66の外側に位置し、ディフューザ15に対向されている。この傾斜部66cは、径方向脚部66aおよび軸方向脚部66bのそれぞれに対して傾斜して形成されている。すなわち、この傾斜部66cは、径方向に沿って軸方向に対して傾斜している。言い換えると、この傾斜部66cは、一の脚部66の屈曲部分を面取りした、Ｃ面状に形成されている。このため、この傾斜部66cは、ディフューザ15に対して接触することなく離れて位置している。
【００３６】
規制部67は、ステータコア33を周り止めすることでステータ22に対してフレーム24(一のフレーム体61)を周方向に位置決めするものである。これら規制部67は、外郭部64と一の脚部66(軸方向脚部66b)との連結位置に設けられている。そして、これら規制部67には、フレーム取付部43がそれぞれ嵌合されることで、ステータコア33(ステータ22)が周方向に回り止めされる。
【００３７】
螺合部68は、規制部67に位置して一の脚部66(軸方向脚部66b)にそれぞれ設けられている。そして、この螺合部68には、ステータコア33の各フレーム取付部43の取付孔43aに挿通されたねじ49が螺合されるボス状に設けられている。
【００３８】
フレーム吸気開口部69は、外郭部64と、一の軸受部65と、隣接する一の脚部66，66との間に区画されている。このフレーム吸気開口部69は、ディフューザ15に対向して開口されている。
【００３９】
図５および図６に示すように、他のフレーム体62は、ロータ21、ステータ22およびセンサ基板23に対して後側に位置するものである。他のフレーム体62は、他の軸受部73を備えている。また、他のフレーム体62は、他の連結部としての他の脚部74を備えている。
【００４０】
他の軸受部73は、他方(後側)のベアリング30を受けることでロータ21を回転自在に支持する他のベアリング保持部である。
【００４１】
他の脚部74は、ステータコア33との接触部であり、他のフレーム体62と一のフレーム体61とを連結する部分である。これら他の脚部74は、他の軸受部73からそれぞれ放射状に突設されている。これら他の脚部74は、ステータコア33のティース42の数、換言すればフレーム取付部43の数に対応する複数設けられている。すなわち、これら他の脚部74は、本実施形態において一の脚部66と同数で、４つ設けられている。また、これら他の脚部74は、フレーム24(他のフレーム体62)の周方向に略等配分されている。すなわち、これら他の脚部74は、電動送風機11(ロータ21)の周囲に複数配置されている。さらに、これら他の脚部74は、先端側が前側、すなわち一のフレーム体61側に向けて屈曲されている。また、これら他の脚部74の先端部には、ねじ49が挿通される挿通孔74aがそれぞれ設けられている。そして、ステータコア33に重ねられたこれら他の脚部74の挿通孔74aに挿通されたねじ49がステータコア33のフレーム取付部43の取付孔43aに挿通されて一のフレーム体61の螺合部68に螺合されることで、一および他のフレーム体61，62が互いに固定されるようになっている。したがって、他のフレーム体62を一のフレーム体61と固定した状態で、一のフレーム体61の外郭部64と、他のフレーム体62の他の軸受部73と、隣接する他の脚部74，74との間に、排気開口部であるフレーム排気開口部75がそれぞれ区画される。これらフレーム排気開口部75は、電動機13内に流入した空気を外部へと排気するものである。また、これらフレーム排気開口部75のうち、互いに対向する一対のフレーム排気開口部75には、端子36がそれぞれ露出するように位置している。
【００４２】
遠心ファン14は、シャフト26に接続されて電動機13により回転されることで空気を中心側から外周側へと押し出す(吹き出す)ものである。この遠心ファン14は、中央部に、シャフト26が挿通されるシャフト挿通孔77を備えている。また、この遠心ファン14は、複数のファン翼78を備えている。そして、シャフト挿通孔77に挿通された電動機13のシャフト26の前端部に固定部材としてのナット79が螺合されることにより、遠心ファン14がシャフト26に一体的に固定される。
【００４３】
図１ないし図６に示すように、ディフューザ15は、遠心ファン14により押し出された空気を整流して電動機13の内部へと流し込むものである。このディフューザ15は、外枠部80を備えている。また、このディフューザ15は、本体部81を備えている。さらに、このディフューザ15は、通気開口部である風路部82を備えている。また、このディフューザ15は、取付開口部83を備えている。さらに、このディフューザ15は、固定孔部である通孔84を備えている。また、このディフューザ15は、複数の整流翼(ブレード)85を備えている。さらに、このディフューザ15は、フレーム位置決め部86を備えている。また、このディフューザ15の前側には、ファンカバー16が取り付けられる。そして、このディフューザ15は、例えば合成樹脂、本実施形態ではガラス繊維(ＧＦ)強化ＰＥＴなどにより成形されている。
【００４４】
外枠部80は、フレーム24を支持するものである。この外枠部80は、ディフューザ15の外郭をなしている。この外枠部80は、例えばフレーム24と略同径の円環状に形成されている。すなわち、この外枠部80は、外郭部64と略等しい外径寸法に設定されている。また、この外枠部80は、フレーム24を支持した状態で、外郭部64に対して軸方向(前側)に重ねられる。さらに、この外枠部80は、本体部81よりも軸方向(前後方向)の寸法が大きく設定されている。このため、この外枠部80は、本体部81に対して前後方向に突出するように延びている。
【００４５】
本体部81は、フレーム24が重ねられる部分である。本実施形態において、この本体部81には、フレーム24の一のフレーム体61が重ねられる。より詳細に、この本体部81には、一のフレーム体61の一の軸受部65および一の脚部66の径方向脚部66aが重ねられる。この本体部81は、外枠部80の内方に配置されている。この本体部81は、遠心ファン14よりも大きく、外枠部80の内径寸法よりも小さい外径寸法に設定されている。このため、この本体部81の外縁部は、外枠部80の内縁部に対して内方(中心側)に離れ、整流翼85により連結されている。また、この本体部81には、遠心ファン14の後側が配置される円形状の凹部81aが中央部に設けられていてもよい。
【００４６】
風路部82は、遠心ファン14から吹き出された空気をフレーム吸気開口部69へと整流するものである。この風路部82は、外枠部80と本体部81との間にディフューザ15を前後方向に貫通して形成されている。この風路部82には、整流翼85が配置されている。換言すれば、外枠部80、本体部81および整流翼85，85間に風路部82が区画されている。そして、この風路部82には、フレーム24の一の脚部66の一部が対向されている。本実施形態において、この風路部82には、一の脚部66の傾斜部66cが対向されている。そして、傾斜部66cが軸方向に対して傾斜していることにより、一の脚部66の風路部82と対向する位置が、この風路部82に対して離れて位置している。すなわち、風路部82は、傾斜部66cと対向する位置が一の脚部66(フレーム24)により閉塞されていない。
【００４７】
取付開口部83は、フレーム24の一部が嵌合されるものである。本実施形態において、この取付開口部83は、一のフレーム体61の一の軸受部65(嵌合部65b)が嵌合される。このため、この取付開口部83は、円形状に開口されている。また、この取付開口部83は、本体部81の中央部に設けられている。本実施形態において、この取付開口部83は、本体部81の凹部81aを前後方向に貫通している。
【００４８】
通孔84は、例えば本体部81にて取付開口部83の両側に設けられている。本実施形態において、これら通孔84は、それぞれ本体部81の凹部81aを前後方向に貫通している。
【００４９】
整流翼85は、外枠部80と本体部81とを連結し、風路部82を区画するものである。これら整流翼85は、風路部82に配置されこの風路部82を通過する空気を整流する。このため、これら整流翼85は、フレーム24の一の脚部66(傾斜部66c)に対して対向されている。また、これら整流翼85は、前側から後側へと遠心ファン14の回転方向に沿ってそれぞれ傾斜して設けられている。さらに、これら整流翼85のうちの一部の整流翼85は、ディフューザ15によりフレーム24(電動機13)を支持した状態でフレーム24(一のフレーム体61)に対向している。本実施形態において、一部の整流翼85は、ディフューザ15によりフレーム24(電動機13)を支持した状態でフレーム24(一のフレーム体61)の一の脚部66に対向している。そして、これら整流翼85は、周方向に略等間隔に離れて設けられている。本実施形態では、この整流翼85は、フレーム24の一の脚部66および遠心ファン14のファン翼78よりも多く設けられている。
【００５０】
フレーム位置決め部86は、例えば一のフレーム体61の一の脚部66(軸方向脚部66b)が嵌合される部分である。したがって、このフレーム位置決め部86は、一の脚部66に対応する複数、本実施形態では４つ設けられている。このフレーム位置決め部86は、例えば外枠部80の後端側(電動機13側)の内縁部に前後方向に沿って溝状に設けられている。そして、これらフレーム位置決め部86に対して一の脚部66(軸方向脚部66b)が挿入嵌合されることにより、外枠部80に対して一の脚部66(軸方向脚部66b)が軸方向にラップして(重なって)配置されている。
【００５１】
ファンカバー16は、遠心ファン14の一部を覆ってディフューザ15に取り付けられている。このファンカバー16には、遠心ファン14の中央部を露出させる吸気口90が開口されている。
【００５２】
制御回路は、例えばインバータ回路を含むドライバと、このドライバをＰＷＭ制御する制御部とを備え、各端子36およびセンサ基板23と電気的に接続されている。そして、この制御回路は、ドライバによってコイル35に流れる電流の向きや通電時間を制御することで、各コイル35を介してステータ22のステータコア33の各ティース42にそれぞれ生じさせる磁極を時間毎に切り換えるように構成されている。
【００５３】
そして、上記の電動送風機11および制御回路は、本実施形態において図７に示す電気掃除機91に備えられる。電気掃除機91は、掃除機本体92と、集塵部93とを備えている。電気掃除機91としては、本実施形態では、例えば長手状の掃除機本体92に対して着脱可能な風路体94を備える長尺状のスティック型(ハンディ型)の電気掃除機とするが、例えばキャニスタ型などでもよいし、自律走行可能な自走式の電気掃除機でも好適に用いることができる。
【００５４】
掃除機本体92には、電動送風機11および制御回路が収容されている。また、この掃除機本体92には集塵部93が着脱可能となっている。
【００５５】
集塵部93は、電動送風機11の駆動により生じる負圧を利用して空気とともに吸い込んだ塵埃を空気から捕集する部分である。この集塵部93は、本実施形態において例えば塵埃を遠心分離するサイクロン集塵部が用いられるが、例えばフィルタにより塵埃を濾過捕集するものや、慣性を利用して塵埃を捕集するものなど、任意の構成とすることができる。
【００５６】
風路体94は、電動送風機11の駆動により生じる負圧を床面などに作用させるものである。この風路体94は、必須の構成ではない。
【００５７】
次に、上記第１の実施形態の電動送風機11の動作を説明する。
【００５８】
電動送風機11は、センサ基板23によりロータ21の回転位置を検出しつつ、この回転位置に応じて、制御回路により各コイル35に流れる電流の向きおよび通電時間を制御することで、各ティース42に順次磁極を形成し、これら磁極とロータ21の磁極との反発・吸引によってロータ21を回転させる。そこで、電動送風機11の遠心ファン14の回転により発生した負圧により、空気が吸気口90から電動送風機11に吸い込まれる。
【００５９】
そして、この吸い込まれた空気は、遠心ファン14のファン翼78によりこの遠心ファン14とファンカバー16との隙間を通って遠心ファン14の周囲へと整流された後、ディフューザ15の前側を通って周囲の風路部82へと流れる。ここで、ディフューザ15の整流翼85により整流されつつ風路部82を通過した空気は、この風路部82と対向するフレーム24の一の脚部66(傾斜部66c)がこの風路部82に対して離れていることで形成される一の脚部66と風路部82との隙間からフレーム吸気開口部69へと流れてこのフレーム吸気開口部69を介して電動機13へと流し込まれる。そして、この空気は、ステータ22(ステータコア33)とフレーム24(一のフレーム体61(外郭部64))との隙間やステータ22の内部(ステータコア33のティース42，42間)を通過してステータ22およびロータ21を冷却しながらこの電動機13のフレーム24内を通過し、各コイル35および各端子36を冷却しつつフレーム排気開口部75から排気される。
【００６０】
上述したように、上記第１の実施形態によれば、ベアリング30を保持するフレーム24の一の軸受部65から径方向に沿って突出する一の脚部66において風路部82と対向する位置に、径方向に沿って軸方向に傾斜する傾斜部66cを設けることにより、風路部82と一の脚部66との間に、傾斜部66cによって容易に隙間を形成できるので、空気が風路部82から電動機13へと流れる風路を容易に確保できる。
【００６１】
次に、第２の実施形態を図８を参照して説明する。なお、上記第１の実施形態と同様の構成および作用については、同一符号を付してその説明を省略する。
【００６２】
この第２の実施形態は、傾斜部66cが整流翼85による空気の整流方向に沿って傾斜しているものである。すなわち、傾斜部66cは、径方向に沿って軸方向に傾斜しているとともに、周方向に沿って一側から他側に傾斜している。換言すれば、この傾斜部66cは、整流翼85の傾斜方向に沿って(遠心ファン14の回転方向に沿って)傾斜している。このため、この傾斜部66cは、一側から他側へと徐々に軸方向に広くなる略台形状に形成されている。
【００６３】
そして、吸気口90から電動送風機11に吸い込まれた空気は、遠心ファン14のファン翼78によりこの遠心ファン14とファンカバー16との隙間を通って遠心ファン14の周囲へと整流された後、ディフューザ15の前側を通って周囲の風路部82へと流れる。ここで、ディフューザ15の整流翼85により整流されつつ風路部82を通過した空気は、この風路部82と対向するフレーム24の一の脚部66(傾斜部66c)がこの風路部82に対して離れているとともに、この整流翼85による整流方向に沿って傾斜部66cが傾斜しているので、流れが一の脚部66により妨げられにくく、一の脚部66と風路部82との隙間からフレーム吸気開口部69へと効率よく流れてこのフレーム吸気開口部69を介して電動機13へと流し込まれる。
【００６４】
このように、傾斜部66cを整流翼85による空気の整流方向に沿って傾斜させたことで、整流翼85により整流された空気が風路部82から電動機13側へと流れるときに傾斜部66cによって空気の流れを遮りにくいとともにその空気の流れを傾斜部66cによって乱しにくくでき、送風効率をより向上できる。
【００６５】
そして、以上説明した少なくとも一つの実施形態によれば、一の脚部66(径方向脚部66a)のディフューザ15に対向する側が一の軸受部65(平面部65c)と略面一に設けられてディフューザ15に対して当接しているので、フレーム24によってディフューザ15を軸方向に確実に支持して剛性を確保できる。このため、電動送風機11の強度の向上、および、駆動時の振動の抑制がそれぞれ可能になる。
【００６６】
次に、第３の実施形態を図９を参照して説明する。なお、上記各実施形態と同様の構成および作用については、同一符号を付してその説明を省略する。
【００６７】
この第３の実施形態は、上記各実施形態の一の脚部66が、一の軸受部65に対してディフューザ15と反対側である後側にオフセットされているものである。
【００６８】
すなわち、一の脚部66は、ディフューザ15に対向する前側において、一の軸受部65の平面部65cに対して、径方向脚部66aの一端部が段差状に連結されている。したがって、一の脚部66は、ディフューザ15(本体部81)に対して軸方向に離れて位置し、このディフューザ15に重ねられていない。また、本実施形態では、一の脚部66が傾斜部66cを備えておらず、径方向脚部66aの他端部が軸方向脚部66bに対して直接連結されている。このため、一の脚部66は、Ｌ字状に屈曲した部分がディフューザ15に対して離れて位置している。したがって、一の脚部66の風路部82と対向する位置が、この風路部82に対して離れて位置している。すなわち、風路部82は、一の脚部66の屈曲部分と対向する位置が一の脚部66(フレーム24)により閉塞されていない。
【００６９】
そして、吸気口90から電動送風機11に吸い込まれた空気は、遠心ファン14のファン翼78によりこの遠心ファン14とファンカバー16との隙間を通って遠心ファン14の周囲へと整流された後、ディフューザ15の前側を通って周囲の風路部82へと流れる。ここで、ディフューザ15の整流翼85により整流されつつ風路部82を通過した空気は、この風路部82と対向するフレーム24の一の脚部66がこの風路部82に対して離れているので、流れが一の脚部66で妨げられにくくなり、一の脚部66と風路部82との隙間からフレーム吸気開口部69へと効率よく流れてこのフレーム吸気開口部69を介して電動機13へと流し込まれる。
【００７０】
このように、一の脚部66を一の軸受部65に対してディフューザ15と反対側へとオフセットしたことで、風路部82と一の脚部66との間に隙間を容易に形成でき、整流翼85により整流された空気が風路部82から電動機13側へと流れるときに一の脚部66によって空気の流れを遮りにくく、送風効率をより向上できる。
【００７１】
なお、上記各実施形態において、電動送風機11は電気掃除機91の吸引用として適用されるものとして説明したが、例えばブロワなどの排気用として適用されるものでもよい。
【００７２】
また、電動送風機11は、電気掃除機91以外の任意の電気機器に用いることができる。
【００７３】
そして、以上説明した少なくとも一つの実施形態によれば、ベアリング30を保持する一の軸受部65から径方向に沿って突出する一の脚部66の少なくとも風路部82と対向する位置がこの風路部82に対して離れて位置しているので、風路部82を通過した空気の流れを一の脚部66によって遮りにくく、風路部82から電動機13への風路を容易に確保できる。したがって、空気が風路部82から電動機13へと流れる風路を確保するために、例えば一の脚部66を径方向にオフセットするためにディフューザ15を径方向に薄くしたり、ディフューザ15やフレーム24を大型化したりするなどの必要がなく、電動送風機11の剛性を確保しつつフレーム24の大型化を抑制でき、かつ、風路部82と一の脚部66との隙間を通って空気を電動機13へと容易に流すことができるので、送風効率を確保できる。
【００７４】
また、一の脚部66は、ディフューザ15に対して軸方向にラップして配置されているので、一の脚部66によってディフューザ15を径方向に支持でき、電動送風機11の剛性をより向上できる。
【００７５】
さらに、上記の電動送風機11を電気掃除機91に備えることにより、省エネルギで掃除性能がよく、かつ、耐久性や信頼性が高く、より小型の電気掃除機91を提供できる。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
11    電動送風機
13    電動機
14    遠心ファン
15    整流体であるディフューザ
21    ロータ
22    ステータ
24    フレーム
30    ベアリング
65    ベアリング保持部である一の軸受け部
66    脚部である一の脚部
66c   傾斜部
82    風路部
85    整流翼
91    電気掃除機
92    掃除機本体
【図１】
2018084152.tif 000003
【図２】
2018084152.tif 000004
【図３】
2018084152.tif 000005
【図４】
2018084152.tif 000006
【図５】
2018084152.tif 000007
【図６】
2018084152.tif 000008
【図７】
2018084152.tif 000009
【図８】
2018084152.tif 000010
【図９】
2018084152.tif 000011